(57)【要約】【課題】袋入りの紙製等のおしぼりに新たな機能を付与し、多目的に利用できるおしぼりを実現し、これによりおしぼりの活用の幅を広げ、紙製等のおしぼりにおける資源の有効活用の問題を低減した実用価値の高いおしぼりの提供。【解決手段】包装用の袋に収納した状態の紙製又はパルプ不織布製のおしぼりであって、包装用の袋の表面に、おしぼりを実際に人に手渡し等で提供する者Ａについての情報、該Ａが取り扱う商品或いはサービスに関する広告情報等の情報を記録した表示部分ａと、該Ａとは異なる者Ｂについての情報、該Ｂが取り扱う商品或いはサービスに関する広告情報等の情報を記録した表示部分ｂ（但し、おしぼりの製造元或いは販売元に関する表示部分ではない）の、少なくとも異なる２種類の主体Ａ及びＢに関する表示部分ａ及びｂが設けられているおしぼり。【選択図】  図１
0003107253.tif 000002
【実用新案登録請求の範囲】
【請求項１】
包装用の袋に収納した状態の紙製又はパルプ不織布製のおしぼりであって、包装用の袋の表面に、おしぼりを実際に人に手渡し等で提供する者Ａについての情報、該Ａが取り扱う商品或いはサービスに関する広告情報、該Ａが提供する各種セミナー及び各種教育等に関する情報、及び該Ａが開催等する催し或いは会合等に関する情報、のいずれかの情報を記録した表示部分ａと、該Ａとは異なる者Ｂについての情報、該Ｂが取り扱う商品或いはサービスに関する広告情報、該Ｂが提供する各種セミナー及び各種教育等に関する情報、及び該Ｂが開催等する催し或いは会合等に関する情報、のいずれかの情報を記録した表示部分ｂ（但し、おしぼりの製造元或いは販売元に関する表示部分ではない）の、少なくとも異なる２種類の主体Ａ及びＢに関する表示部分ａ及びｂが設けられていることを特徴とするおしぼり。
【請求項２】
表示部分ａ及び表示部分ｂが、袋の表面部分と裏面部分にそれぞれに分けて印刷されている請求項１に記載のおしぼり。
【請求項３】
前記Ａがおしぼりを実際に人に手渡し等で提供する場所が、コンビニエンスストア内、飲食店内、弁当屋内、学校の食堂内、パン屋・ケーキ屋内、美容院内、病院内、映画館内、遊園地内、美術館内、博物館内、各種の催事施設内、ガソリンスタンド内、パチンコ店内、パーキングエリア内、タクシー・バス・電車・飛行機の車内・機内及び交通機関のコンコース内のいずれかである請求項１又は２に記載のおしぼり。
【請求項４】
更に、袋の表面部分及び裏面部分の少なくともいずれか一方に、スクラッチ印刷したスクラッチ部分が設けられている請求項１〜３のいずれか１項に記載のおしぼり。
【考案の詳細な説明】
【技術分野】
【０００１】
本考案は、広告媒体或いは情報媒体として多面的に機能する新規な袋入りの紙製或いはパルプ不織布製（以下、紙製等という）のおしぼりに関する。
【背景技術】
【０００２】
従来より、おしぼりの提供は、飲食店におけるサービスとして、或いは、弁当を購入した人に対するサービスとして、例えば、箸や爪楊枝と共に提供することが広く行われている。その際に使用されるおしぼりは、従来より広く用いられてきた濡れタオルに代わって、近年では、液体を含浸させて湿った状態にした紙製等のおしぼりが多用されている。
【０００３】
従来の濡れタオルからなるおしぼりの提供にあたっては、使用→回収→洗浄・整形・包装→配達→使用といった、布製のタオルを繰り返して使用する貸しタオル方式が確立されている。これに対して、紙製等のおしぼりの場合は、使い捨てであり、上記した提供システムの上でなり立っている貸しタオルに比べて取り扱いが非常に簡便であるが、資源の有効活用、廃棄物の処理という点では貸しタオルに劣るものである。
【０００４】
ここで、紙製等のおしぼりは、液体を含浸させた紙等からなるため、ガス透過性の低い合成樹脂材料からなるフィルム或いはこれを含む積層フィルムからなる包装用の袋に収納された、液体の蒸発を防ぐ構造のものとなっている。このため、おしぼりを収納した袋もおしぼりと共に廃棄されており、紙製等のおしぼりの使用が拡大されるにつれて、資源の有効活用、廃棄物の処理の問題は重要なものとなると考えられる。
ここで、紙製等のおしぼりをおしぼり本来の用途以外に使用することについての提案がある（例えば、特許文献１及び２参照）。
【特許文献１】特開平７−３３００３１号公報
【特許文献２】特開２０００−３４７６１０公報
【考案の開示】
【考案が解決しようとする課題】
【０００５】
従って、本考案の目的は、袋入りの紙製等のおしぼりを従来にない形態とすることで、おしぼりに新たな機能を付与し、多目的に利用できるおしぼりを実現し、これによって紙製等のおしぼりの活用の幅を広げ、紙製等のおしぼりにおける資源の有効活用の問題を低減する実用価値の高いおしぼりを提供することにある。
【課題を解決するための手段】
【０００６】
上記の目的は、以下の本考案によって解決される。即ち、本考案は、包装用の袋に収納した状態の紙製又はパルプ不織布製のおしぼりであって、包装用の袋の表面に、おしぼりを実際に人に手渡し等で提供する者Ａについての情報、該Ａが取り扱う商品或いはサービスに関する広告情報、該Ａが提供する各種セミナー及び各種教育等に関する情報、及び該Ａが開催等する催し或いは会合等に関する情報、のいずれかの情報を記録した表示部分ａと、該Ａとは異なる者Ｂについての情報、該Ｂが取り扱う商品或いはサービスに関する広告情報、該Ｂが提供する各種セミナー及び各種教育等に関する情報、及び該Ｂが開催等する催し或いは会合等に関する情報、のいずれかの情報を記録した表示部分ｂ（但し、おしぼりの製造元或いは販売元に関する表示部分ではない）の、少なくとも異なる２種類の主体Ａ及びＢに関する表示部分ａ及びｂが設けられていることを特徴とするおしぼりである。
【０００７】
本考案の好ましい形態としては、下記のものが挙げられる。上記の構成において、表示部分ａ及び表示部分ｂが、袋の表面部分と裏面部分にそれぞれに分けて印刷されているおしぼりである。又、上記いずれかの構成において、前記Ａがおしぼりを実際に人に手渡し等で提供する場所が、コンビニエンスストア内、飲食店内、弁当屋内、学校の食堂内、パン屋・ケーキ屋内、美容院内、病院内、映画館内、遊園地内、美術館内、博物館内、各種の催事施設内、ガソリンスタンド内、パチンコ店内、パーキングエリア内、タクシー・バス・電車・飛行機の車内・機内及び交通機関のコンコース内のいずれかであるおしぼりである。
【０００８】
又、本考案の別の形態は、更に、袋の表面部分及び裏面部分の少なくともいずれか一方に、スクラッチ印刷したスクラッチ部分が設けられている上記いずれかのおしぼりである。
【考案の効果】
【０００９】
上記構成の本考案にかかるおしぼりは、袋入りの紙製等の使い捨てのものであるため、手等を清浄にするための簡便な道具として非常に有用なものであると同時に、これにとどまらず、各種の情報を伝達する宣伝或いは広告手段としての機能が付加されたものであるため、宣伝或いは広告手段用に別の資源を用いる必要がなく、１の資源が多目的に使用される結果、資源の有効利用が図れる実用価値の高いものである。又、本考案にかかるおしぼりは、従来にない、各種の情報を伝達する宣伝或いは広告手段としての機能を付加したものであるため、従来よりおしぼりを提供していた飲食店等に限らず、人が、おしぼりを必要と感じる種々の場所或いは種々の機会において、本考案にかかるおしぼりをサービスとして提供すれば、情報を受けとって欲しい対象者に確実に情報を手渡しすることができ、しかも、おしぼりの提供を受けた者は、おしぼりが提供されたことによる充足感に満ちた状態で、おしぼりを使いながら、おしぼりの袋に印刷等された各種の情報をゆったりとした気分で目にすることになるため、従来の不特定多数の者にビラ等を配布する広告手段に比べて、格段に高い宣伝或いは広告の効果が得られる。
【考案を実施するための最良の形態】
【００１０】
次に、図面を参照して本考案を更に詳細に説明する。本考案のおしぼりは、基本的には、図４に示したような、包装用の袋内に収納された状態の紙製等のおしぼりである。又、おしぼり自体としては、アルコールや各種薬剤等を含む水溶液が含浸されてなる湿潤状態の、紙製或いはパルプ不織布製の従来公知のものをいずれも使用することができる。例えば、水溶液に含ませる薬剤として、各種の抗菌剤や香料等を含むものも好適である。本考案においては、おしぼりの形状も限定されないが、袋内に収納される状態がロール状であるものよりも、折り畳んで平坦な状態としたものが好ましい。
【００１１】
本考案の特徴は、上記した紙製等のおしぼりを収納する包装用の袋の表面、好ましくは、袋の表裏面に下記のような情報が印刷等されて、情報伝達媒体として利用できる点にある。即ち、袋の表面に、おしぼりを実際に人に手渡し等で提供する者Ａについての情報、該Ａが取り扱う商品或いはサービスに関する広告情報、該Ａが提供する各種セミナー及び各種教育等に関する情報、及び該Ａが開催等する催し或いは会合等に関する情報、のいずれかの情報を記録した表示部分ａと、該Ａとは異なる者Ｂについての情報、該Ｂが取り扱う商品或いはサービスに関する広告情報、該Ｂが提供する各種セミナー及び各種教育等に関する情報、及び該Ｂが開催等する催し或いは会合等に関する情報、のいずれかの情報を記録した表示部分ｂの、少なくとも異なる２種類の主体Ａ及びＢに関する表示部分ａ及びｂが設けられていることを特徴とする。以下、これらについて具体的に説明する。
【００１２】
従来の紙製等のおしぼりの袋に印刷されているものとしては、法定されている包装の材質表示プラマークの表示以外には、当該おしぼりの製造元或いは販売元を表示するための名称やロゴ、或いはその連絡先、製造メーカーが付けたおしぼりの商標等の表示がある。又、他のものとしては、当該おしぼりを客に提供する提供者、例えば、飲食店や持ち帰り弁当を販売する店の、名称やロゴ或いはその連絡先等の表示がある。場合によっては、法定されている表示以外、上記したような表示が全くないものもある。ここで、おしぼりがサービスとして提供されているのは、上記したように、飲食店や持ち帰り弁当販売店等の、必要性が非常に高い場合に限られているのが現状である。
【００１３】
本考案者らは、上記した実状に鑑みて鋭意検討した結果、紙製等のおしぼりは非常に便利であり、飲食店等における場合に限らず、人は、様々な場所や様々な機会において、湿ったおしぼりの必要性を感じることが多々あること、そして、その場合にタイムリーにおしぼりが提供されれば、提供された者は喜ぶと同時に、提供されたおしぼりは、必ずその場で使用されていることを知見した。更に、その場合に、特に、無償のサービスとしておしぼりを受け取った者がおしぼりを使用している状態は、潜在的に或いは強く欲していた物が思いがけず、しかも無償で手に入ったことによる喜びに満ちており、更に、潜在的に或いは強く欲していた手等を拭きたい、という願望が解決できることによる充足感に満たされた状態にあることがわかった。
【００１４】
しかしながら、湿ったおしぼりの必要性を感じる様々な場所や様々な機会において、おしぼりを無償のサービスとして提供することは、特にコスト面等から難しく、先に述べたように、おしぼりが無償のサービスとして提供されているのは、おしぼりの必要性が非常に高い、飲食店や持ち帰り弁当販売店等の場合に限られている。
【００１５】
これに対して本考案者らは、袋入りのおしぼりを積極的な情報の伝達手段とし、宣伝或いは広告等の媒体として利用できるものにすれば、商品やサービスの宣伝或いは広告等を、ターゲットを絞って効果的な状態で行いたいとする者Ｂの希望を達成した広告宣伝等の情報伝達をすることができ、同時に、参加者等が湿ったおしぼりの必要性を感じる様々な場所や様々な機会を提供している者Ａにおいては、その者の商品やサービスについての宣伝或いは広告等を、欲しているおしぼりをタイムリーに、しかも無償で渡すという非常にインパクトの高いサービスを提供することで、おしぼりの提供者Ａに対する好感度を十分に向上させた状態で行うことができ、この結果、袋入りのおしぼりを情報伝達媒体として利用することで、上記Ａ及びＢのいずれに関しても非常に高い広告宣伝効果が得られることを見いだして、本考案に至った。
【００１６】
即ち、本考案にかかるおしぼりは、少なくとも異なる２種類の主体Ａ及びＢに関する表示部分ａ及びｂが設けられていることを特徴とするが、一方の主体であるＡは、おしぼりを実際に人に手渡し等で提供する者であり、もう一方の主体Ｂは、Ａとは異なる者で、例えば、商品やサービスの宣伝或いは広告等を、ターゲットを絞って効果的に行いたいと希望する者である。
【００１７】
又、表示部分ａ及びｂは、上記主体Ａ及びＢのそれぞれに関するものであり、主体Ａ或いはＢについての情報、該Ａ或いはＢが取り扱う商品或いはサービスに関する広告情報、該Ａ或いはＢが提供する各種セミナー及び各種教育等に関する情報、及び該Ａ或いはＢが開催等する催し或いは会合等に関する情報、のいずれかの情報を文字或いは画像で記録したものからなる。そして、表示部分ａ及び表示部分ｂが、袋の表面部分と裏面部分にそれぞれに分けて印刷されていることが好ましい。尚、袋の材質は、紙等のおしぼりに含水させた水分の蒸発を防止でき、且つ、その表面が印刷適用性のあるものであれば、いずれのものであってもよい。
【００１８】
図１及び２に具体的な例について記載したが、以下、これらについて説明する。例えば、図１に示した例のおしぼりは、学校の食堂や売店等の施設で、主に学生に提供されるものである。図１に示した例では、本考案にかかるおしぼりを実際に、食堂等の職員を介して学生等に手渡しする学校Ａに関する情報や広告等の表示部分ａは、おしぼりの袋の裏面側に設けられており、これとは全く異なる主体である、広告対象を特に学生に絞りたいと考えている企業Ｂの情報や広告等の表示部分ｂが、おしぼりの袋の表面側に設けられている。このようにすることで、企業Ｂは、ターゲットを学生、場合によっては、特定の学校や特定の学部等に所属している学生に対象を絞って情報を発信することを希望する場合においても、本考案にかかるおしぼりを利用することで、確実に、対象となる学生に情報を手渡しすることが可能となる。一方、学校Ａも、対象とする学生に伝えたい学校Ａに関する情報を確実に手渡しすることができる。更に、学食や売店等において職員を介して手渡しされたおしぼりは、確実に使用され、しかも、通常、休憩している状態で使用されるので、おしぼりを手にした学生は、各情報や広告等の表示部分ａ及びｂを必ず見て、更に、おしぼりの袋に表示可能な情報は、適度な量であるので、表示部分ａ及びｂに記載された各種の情報の内容をゆったりとした気分でじっくりと読むことができる。以上のことが奏合されて、本考案にかかるおしぼりを利用することによって得られる宣伝広告の効果は、従来のビラやパンフレットを用いて行った場合と比較して、絶大なものとなる。
【００１９】
図２に示した例では、おしぼりの袋の裏面側に、本考案にかかるおしぼりを実際に弁当や惣菜等を購入した者に手渡しするコンビニエンスストアＡに関する情報や広告等の表示部分ａが設けられており、おしぼりの袋の表面側には、社会で忙しく活動している人々に、広く新車の発売を知らせることを望んでいる企業Ｂの情報や広告等の表示部分ｂが設けられている。
【００２０】
図３は、本考案の別の形態である、上記した表示部分ａ及びｂに加えて更に、袋の表面部分及び裏面部分の少なくともいずれか一方に、スクラッチ印刷によって形成されたスクラッチ部分が設けられている構成のおしぼりである。このような形態とすることで、本考案にかかるおしぼりの利用方法は更に多様になり、その使用が拡大する。例えば、図３に示したおしぼりを、若者中心の、熱気に溢れる野外コンサート会場やスポーツの試合会場等で配れば、必ずおしぼりを使用することになる。そして、使用の際に、若者を対象として考えられた表示部分ａ及びｂを見ることになるので、対象を絞っての高い宣伝広告効果が得られるが、更に、このおしぼりに、例えば、各種の金額表示や景品名が隠蔽されているスクラッチくじを設け、商品の購入の際に、当たったスクラッチくじと交換に、商品の購入代金から表示された金額を値引きする、或いは表示した景品を渡すといったシステムを構築すれば、更なる販売促進を図ることができる。即ち、図３に示したおしぼりを手にした若者は、欲していたおしぼりが手に入った喜びと、スクラッチくじを削る楽しみに満ちた高揚した気分で表示部分ａ及びｂを見て、先ず表示内容に興味を持つと同時に、必ずスクラッチくじを削り、スクラッチくじに当たった場合には、少なからず当該商品の購入について考えるという行動をとることが予想されるからである。
【００２１】
その他の利用形態としては、本考案にかかるおしぼりを実際に手渡しする主体Ａが、例えば、上記で例示したような食料品を扱う店等に限らず、おしぼりを使用したいと思うことの多い、美容院や、病院や、ガソリンスタンドや、パチンコ店等、又、映画館、遊園地、美術館、博物館、各種の催事施設等の各種の施設の提供者やイベントの企画者、更には、タクシー・バス・電車・飛行機等の乗物サービスの提供者等であり、他の主体Ｂが、これらの店や施設等を利用する者、或いはイベントに参加する者が、おしぼりを使いながら目にした場合に興味を抱くと考えられる商品或いはサービスの提供者である場合が考えられる。例えば、美容院Ａ内で提供されるおしぼりに、その美容院Ａが提供する新たなカラーリングやパーマネントに関する手法等の紹介情報の表示部分ａと、装飾品店ＢやカルチャーセンターＢや各種のイベントＢ等の内容に関する情報の表示部分ｂや、ガソリンスタンドＡで提供されるおしぼりに、そのガソリンスタンドにおけるポイントシステムに関する情報の表示部分ａと、そのガソリンスタンドの近隣にある遊園地や美術館や博物館等の各種の施設情報の表示部分ｂを設けたもの、或いは、美術館Ａや博物館Ａ等で提供されるおしぼりに、該Ａが次に予定している展示情報の表示部分ａ或いは上映情報の表示部分ａと、歴史的な場所や行事を組み入れた旅行業者Ｂの旅行案内情報の表示部分ｂを設けたもの等が挙げられる。
【００２２】
以上述べたように、本考案にかかるおしぼりを利用することで、おしぼりを実際に手渡して提供する場所或いは機会を選べば、主体Ｂは、対象を絞った状態で効果的な宣伝・広告を行うことができるので、その宣伝・広告によって利潤を得ることができる。このため、主体Ｂは、効果に見合ったものであれば、主体Ｂの商品やサービス等に対する宣伝・広告料として、本考案にかかるおしぼりの製作及び配布に対する費用の一部或いは全部を負担できる。
【００２３】
一方、おしぼりを実際に手渡して提供する者Ａは、人がおしぼりを強く或いは潜在的に欲する場を提供する者であるが、おしぼりの製作及び配布に対する費用の一部或いは全部を、主体Ｂが負担してくれれば、おしぼりをタイムリーに、しかも無償で渡すという非常にインパクトの高いサービスの提供が可能となる。このため、おしぼりを実際に手渡す主体Ａに対する好感度は向上し、更に、本考案にかかるおしぼりに表示された主体Ａに関する情報の表示部分ａによって、施設やサービスを利用する者の増大が図れ、本考案にかかるおしぼりを利用することによる利潤の増大が図れる。従って、主体Ｂが支払う費用が、本考案にかかるおしぼりの製作及び配布に対する費用の一部であったとしても、主体Ａも本考案にかかるおしぼりを利用することによる利益が得られるため、その効果に見合ったものであれば、主体Ａの商品やサービス等に対する宣伝・広告料として、本考案にかかるおしぼりの製作及び配布に対する費用の一部を負担することができる。
【００２４】
従来のおしぼりは、おしぼりを実際に手渡して提供する者Ａが、その製作及び配布に対する費用の一切を負担していたため、必要性が非常に高い場合にのみ提供することが行われており、そのおしぼりの提供にかかる費用は、Ａが提供する商品或いはサービスに負担をかけていた。又、そのおしぼりの表示は、おしぼりを提供するＡの出所を表示するものであるか、おしぼりの製造或いは販売する者の表示にとどまっていた。これに対して、本考案にかかるおしぼりは、上記で説明したように、広告宣伝の媒体として有効に利用されるものであるので、主体Ａ及びＢに共に利潤をもたらすことができ、主体Ａ或いはＢが提供する商品或いはサービスに負担をかけることがない。上記したような利用がされれば、従来、おしぼりを使用したいと強く或いは潜在的に所望していた場所や機会に、おしぼりがタイムリーに無償で提供されることが実現されるので、提供されたおしぼりは、無駄にされることなく、非常に有効に使用される。
【産業上の利用可能性】
【００２５】
本考案によれば、袋入りの紙製等のおしぼりを従来にない形態とすることで、おしぼりに、新たに情報伝達機能が付与されるので、多目的に利用できるおしぼりが実現され、これによって紙製等のおしぼりの活用の幅が広がり、紙製等のおしぼりにおける資源の有効活用の問題をも低減できる実用価値の高いおしぼりが提供される。
【図面の簡単な説明】
【００２６】
【図１】本考案にかかるおしぼりの一例を示す斜視図である。
【図２】本考案にかかるおしぼりの別の例を示す斜視図である。
【図３】本考案にかかるおしぼりの別の例を示す斜視図である。
【図４】本考案に用いるおしぼりの構成を説明するための図である。
【図１】
0003107253.tif 000003
【図２】
0003107253.tif 000004
【図３】
0003107253.tif 000005
【図４】
0003107253.tif 000006